(57)【要約】【課題】ブラケットと主線との抵抗を治療段階に応じて容易に変更することができるばかりでなく、製作が容易で尚且つセラミック等の脆い材質でも十分な強度が得られ安価に製作できる歯列矯正用ブラケットを提供する。【解決手段】歯列矯正用ブラケットを、概略、ベース板１、タイウイング２及びアーチワイヤ嵌着スロット３から構成する。すなわち、矩形状のベース板１に一対の長短二種類の翼片（長片）５、（短片）６を有する一対のタイウイング２を離間して立設し、この離間部分によりアーチワイヤ嵌着スロット３を形成する。タイウイング２の一対の翼片５、６は、上下方向に突出して先端が斜め下方に向いた形で設け、長片５と短片６とから構成する。そして、一方の翼片（長片）５の端部近傍のタイウイング２部分に凹状のガイド溝５ａを形設する。【選択図】  図１
2007296226.tif 000002
【特許請求の範囲】
【請求項１】
ベース板と、該ベース板の両側辺に沿って設けられると共に、その間にアーチワイヤ嵌着スロットを形成して配置された一対のタイウイングとからなる歯列矯正用ブラケットにおいて、前記タイウイングにアーチワイヤの固定具を千鳥掛け状に係止可能な翼片を設けたことを特徴とする歯列矯正用ブラケット。
【発明の詳細な説明】
【技術分野】
【０００１】
本発明は、歯列矯正治療に使用されるブラケットに関するものである。
【背景技術】
【０００２】
一般に、歯列矯正治療においては、治療前半では、歯を動かすために主線に沿って歯列矯正用ブラケットを滑らせる必要があることから、主線と歯列矯正用ブラケットとの抵抗は小さい方がよく、一方治療後半では、整列した歯を固定しなければならないので、主線と歯列矯正用ブラケットとの抵抗は大きい方が望ましい。
【０００３】
従来の歯列矯正用ブラケットは、アーチワイヤ等の主線を嵌着して連結するためのスロットと、主線を締め付けて固定するリガチャーワイヤ（又はゴムリング）を引っ掛けるためのタイウイング等から構成されており、治療初期（叢生歯列）では、スロットの幅より細い主線を用いてコイルスプリングやゴムを使いながら歯を動かし、治療が進むにつれ、主線を太いものに交換して歯列矯正用ブラケットとの抵抗を増加させるようにしていた。
【０００４】
しかし、これでは、治療初期には主線が細いために必然的にスロット内での遊びが多くなって精密なコントロールを与えることができず、また、治療の進行に伴なう主線の交換作業が治療をする側（歯科医師）にとっても治療を受ける側（患者）にとっても煩雑で面倒であるという不都合があった。
【０００５】
そこで、本発明者は、スロットに直交するタイウイングの両端にリガチャーワイヤを這わせるに足る幅を残すと共に、スロットに平行するタイウイングの両側に係止爪を設け、この係止爪の両端はリガチャーワイヤを這わせるに足る幅だけ除いた歯列矯正用ブラケットを提案している（特許文献１参照。）。そして、この歯列矯正用ブラケットを用いることで、リガチャーワイヤによってアーチワイヤの外れ防止を図るに際し、リガチャーワイヤを、アーチワイヤに押付けることなくブラケットに巻きつけることができ、歯を近遠心的に移動させるに際しては、個々の歯に接着固定したブラケットをアーチワイヤ上でスムーズに摺動させることができ、その結果、スロットとアーチワイヤとの間に作用する摩擦力を小さくして矯正期間を短縮することができる。
【０００６】
【特許文献１】特公平５−５５１４２号公報
【発明の開示】
【発明が解決しようとする課題】
【０００７】
しかしながら、上記のようにタイウイングの両側に係止爪を設ける構成では、製作過程が複雑になりコストが嵩むばかりでなく、金属以外、例えばセラミック等の脆い材質では製作が困難であった。
そこで、本発明は、前記のような従来技術の問題点に鑑み、上記従来技術と同様の効果を奏することは無論のこと、ブラケットと主線との抵抗を治療段階に応じて容易に変更することができるばかりでなく、製作が容易で尚且つセラミック等の脆い材質でも十分な強度が得られ安価に製作できる歯列矯正用ブラケットを提供することを目的とする。
【課題を解決するための手段】
【０００８】
本発明は、ベース板と、該ベース板の両側辺に沿って設けられると共に、その間にアーチワイヤ嵌着スロットを形成して配置された一対のタイウイングとからなる歯列矯正用ブラケットにおいて、前記タイウイングにアーチワイヤの固定具を千鳥掛け状に係止可能な翼片を設けたことを特徴とする。
【発明の効果】
【０００９】
本発明によれば、下記の優れた効果がある。
（１）タイウイングの各翼片とガイド溝を利用して固定用ワイヤの装着方法を２通りに変えることによって、アーチワイヤとブラケットとの抵抗を治療段階に応じて容易に２段階に変更することが出来る。これにより従来の歯列矯正治療と比べて治療が完了するまでの煩雑さを大幅に軽減することが可能となり、治療をする側（歯科医師）にとっても治療を受ける側（患者）にとっても治療に伴なう負担を軽減することができる。
（２）ウイングを細く形成しなくて済むので、セラミック等の脆い材質で作成されるコスメティックブラケットにおいても十分な強度が得られる。
【発明を実施するための最良の形態】
【００１０】
以下に、本発明の実施の形態を図面に示す実施例に基づいて説明する。
図１は本発明に係る歯列矯正用ブラケットの一実施例を示す斜視図、図２は図１に示す歯列矯正用ブラケットの平面図、図３は図１に示す歯列矯正用ブラケットの側面図、図４はリガチャーワイヤの第１の装着方法を示す平面図、図５はリガチャーワイヤの第１の装着方法を示す側面図、図６はリガチャーワイヤの第２の装着方法を示す平面図、図７はリガチャーワイヤの第２の装着方法を示す側面図である。
【００１１】
本発明に係る歯列矯正用ブラケットは、ステンレス、合成樹脂又はセラミック等から一体に形成されており、概略、ベース板１、タイウイング２及びアーチワイヤ嵌着スロット３から構成されている。すなわち、歯列矯正用ブラケットは、図１に示すように、矩形状のベース板１に一対の長短二種類の翼片（長片）５、（短片）６を有する一対のタイウイング２を離間して立設され、この離間部分によりアーチワイヤ嵌着スロット３が形成されている。
【００１２】
タイウイング２の一対の翼片５、６は、上下方向に突出して先端が斜め下方に向いた形で設けられており、図２に示すように、長片５と短片６とからなっている。一方の翼片（長片）５の端部近傍のタイウイング２部分には凹状のガイド溝５ａが形設されている。
【００１３】
本発明による歯列矯正用ブラケットを用いて歯列矯正治療を行なう際には、以下の手順で行なわれる。
【００１４】
歯を動かす必要のある治療前半においては、歯列矯正用ブラケットがベース板１を介して歯に接着された状態で、歯列矯正用ブラケットのアーチワイヤ嵌着スロット３の幅略等しい直径を有するアーチワイヤ（主線）７をスロット３を嵌着する。次に、図４及び図５に示すように、リガチャーワイヤ（固定具）７をタイウィング２の翼片（長片）５同士をガイド溝５ａを介してタイウイング２の対角線上に千鳥状に引っ掛ける形で歯列矯正用ブラケットに装着する。すると、リガチャーワイヤ７は、図５に示すように、アーチワイヤ４に当接していないので、アーチワイヤ４に沿って歯列矯正用ブラケットを抵抗なく滑らせることが出来る。この際、アーチワイヤ４はその直径がスロット３の幅に略等しくてスロット３内での遊びが殆どないので、精密なコントロールを与えることが可能である。また、リガチャーワイヤ７は、図５に示すように、スロット３の開口部を覆う形で装着されているので、アーチワイヤ４がスロット３から外れてしまうようなことはない。
【００１５】
また、整列した歯を固定する必要のある治療後半においては、前述のリガチャーワイヤ７を取り外した後、別のリガチャーワイヤ７を、図６及び図７に示すように、タイウイング２の一対の翼片５、６全てを介してタイウィング２に矩形状に引っ掛ける形で歯列矯正用ブラケットに装着する。すると、リガチャーワイヤ７は、図７に示すように、アーチワイヤ４を歯列矯正用ブラケットのベース板１２に押圧する形で強固に固定することとなり、任意の歯を固定しながら別の歯を牽引するような操作を行なう場合にも有効である。この際、前述のアーチワイヤ４はそのままで有効に利用することが出来るので、アーチワイヤ４を交換する必要はない。
【００１６】
このように、リガチャーワイヤ７の装着方法を２通りに変えるだけで、アーチワイヤ４との抵抗を容易に２段階に変更することが可能となり、治療が完了するまでの煩雑さを大幅に軽減することが出来る。
【００１７】
なお、上述の実施例においては、アーチワイヤ４をタイウイング２に固定する固定具としてリガチャーワイヤ７を使用した場合について説明したが、リガチャーワイヤ７の代わりにゴムリングを使用して歯列矯正治療を行なってもよいことは言うまでもない。
【図面の簡単な説明】
【００１８】
【図１】本発明に係る歯列矯正用ブラケットの一実施例を示す斜視図である。
【図２】図１に示す歯列矯正用ブラケットの平面図である。
【図３】図１に示す歯列矯正用ブラケットの側面図である。
【図４】リガチャーワイヤの第１の装着方法を示す平面図である。
【図５】リガチャーワイヤの第１の装着方法を示す側面図である。
【図６】リガチャーワイヤの第２の装着方法を示す平面図である。
【図７】リガチャーワイヤの第２の装着方法を示す側面図である。
【符号の説明】
【００１９】
１      ベース板
２      タイウイング
３      アーチワイヤ嵌着スロット
４      アーチワイヤ（主線）
５      翼片（長片）
５ａ    ガイド溝
６      翼片（短片）
７      リガチャーワイヤ（固定具）
【図１】
2007296226.tif 000003
【図２】
2007296226.tif 000004
【図３】
2007296226.tif 000005
【図４】
2007296226.tif 000006
【図５】
2007296226.tif 000007
【図６】
2007296226.tif 000008
【図７】
2007296226.tif 000009